(57)【要約】      （修正有）【課題】防護シートを複数連ねて設置した場合に、防護シート同士の境界部分から小石等の飛散物が飛び込んでくることを防止する防護シートを提供する。【解決手段】ベランダ１０２を飛散物から防護する矩形状のシート材２と、横方向に並べてシート材２に取り付けた複数の縦骨３と、を備え、シート材２は、横方向の両端部において、複数の縦骨３のうち横方向の各端部寄りに設けられた２本の縦骨３のそれぞれから、横方向外側に張り出した張出部９を、有する。以上のように構成された防護シート１は、張出部９を有することで、防護シート１を複数連ねて設置した場合に、防護シート１同士の境界部分において、各防護シート１の張出部９を重ね代として、防護シート１同士の境界部分に隙間が生じることがない。【選択図】図１
0003180942.tif 000002
【実用新案登録請求の範囲】
【請求項１】
被防護箇所を飛散物から防護する矩形状のシート材と、
横方向に並べて前記シート材に取り付けた複数の縦骨と、を備え、
前記シート材は、横方向の両端部において、前記複数の縦骨のうち横方向の各端部寄りに設けられた２本の前記縦骨のそれぞれから、横方向外側に張り出した張出部を、有することを特徴とする防護シート。
【請求項２】
前記被防護箇所に設けられた被係合部に係合して、前記シート材を被係合部に吊り下げた状態に係止する複数の係合部を、さらに備えたことを特徴とする請求項１に記載の防護シート。
【請求項３】
前記各係合部が、前記各縦骨に設けられていることを特徴とする請求項２に記載の防護シート。
【請求項４】
前記シート材に取り付けられ、前記複数の縦骨の前記シート材側とは反対側の面をそれぞれ被覆する複数の帯状部材を、さらに備えたことを特徴とする請求項１ないし３のいずれかに記載の防護シート。
【請求項５】
前記複数の係合部をそれぞれ被覆する複数のカバー部を、さらに備えたことを特徴とする請求項１ないし４のいずれかに記載の防護シート。
【請求項６】
前記シート材が、ネット材により構成されていることを特徴とする請求項１ないし５のいずれかに記載の防護シート。
【考案の詳細な説明】
【技術分野】
【０００１】
本考案は、草刈機のブレードにより弾かれた小石やガラス片等の飛散物が被防護箇所に飛び出すのを防止する防護シートに関するものである。
【背景技術】
【０００２】
従来、この種の防護シートとして、道路脇の草を刈り取るときに、ガイドレールに掛け止めして用いられる防護ネットが知られている（特許文献１参照）。
この防護ネットは、３００ｃｍ×９０ｃｍのネット部と、ネット部の上下に設けたワイヤー等の線状部材と、ガイドレールに引っ掛けられる複数の係合部と、ネット部が取り付けられると共に、係合部と一体化された複数の支柱と、を備えている。支柱は、ネット部より短く形成されており、ガイドレールに係合部を掛止めした状態で、ネット部の下部が地面に垂れ下がるようになっている。また、係合部には、ガイドレール上を転動する車輪が設けられており、草刈作業の進捗に合わせて、ガイドレールに沿って移動できるように構成されている。
【先行技術文献】
【特許文献】
【０００３】
【特許文献１】特開２００７−３７４２７号公報
【考案の概要】
【考案が解決しようとする課題】
【０００４】
このような、従来の防護ネット（防護シート）では、草刈作業の進捗に従って、適宜防護ネットを移動させる必要がある。ネット部（シート材）は、３ｍ（３００ｃｍ）幅であるため、実質上、草刈作業を２ｍ程度進めたところで、防護ネットを移動させることになる。このため、防護ネットの移動作業が煩雑になる問題がある。もっとも、防護ネットを複数連ねて設置しておけば、防護ネットの移動作業の回数を減らすことができる。しかし、防護ネットを複数連ねて設置する場合、防護ネット同士の境界部分では、各防護ネットのネット部の端面を相互に突き当てた状態となる。このため、防護ネット同士の境界部分に隙間が生じ、その隙間から小石等が道（被防護箇所）側に飛び出すおそれがある。一方の防護ネットの支柱（縦骨）間に他方の防護ネットの支柱が位置するようにして、防護ネット同士を重ね合わせることも考えられるが、上になった防護ネットの支柱の係合部が、下になった防護ネットの厚みにより、ガイドレールにうまく引っ掛からないため、現実的ではない。
【０００５】
本考案は、防護シートを複数連ねて設置した場合に、防護シート同士の境界部分から小石等の飛散物が飛び込んでくることを防止する防護シートを提供することを目的としている。
【課題を解決するための手段】
【０００６】
本考案の防護シートは、被防護箇所を飛散物から防護する矩形状のシート材と、横方向に並べてシート材に取り付けた複数の縦骨と、を備え、シート材は、横方向の両端部において、複数の縦骨のうち横方向の各端部寄りに設けられた２本の縦骨のそれぞれから、横方向外側に張り出した張出部を、有することを特徴とする。
【０００７】
この構成によれば、防護シートを複数連ねて設置した場合に、防護シート同士の境界部分において、各防護シートの張出部を重ね代として、張出部同士を重ね合わせることで、防護シート同士の境界部分に隙間が生じることがない。このため、防護シートを複数連ねて設置した場合に、防護シート同士の境界部分から小石等の飛散物が被防護箇所に飛び出すことを防止することができる。
【０００８】
この場合、被防護箇所に設けられた被係合部に係合して、シート材を被係合部に吊り下げた状態に係止する複数の係合部を、さらに備えたことが好ましい。
【０００９】
この構成によれば、例えば、被防護箇所であるベランダに防護シートを設ける場合に、ベランダに設けられた手摺等の被係合部に複数の係合部を係合することで、シート材を被係合部に吊り下げた状態に係止することができる。このため、防護シートを被係合部に紐等で結束する必要がなく、被係合部に対する防護シートの着脱作業を迅速且つ容易に行うことができる。
【００１０】
この場合、各係合部が、各縦骨に設けられていることが好ましい。
【００１１】
この構成によれば、各係合部を各縦骨とは別に設けた場合に比べ、部品点数を削減することができる。
【００１２】
この場合、シート材に取り付けられ、複数の縦骨のシート材側とは反対側の面をそれぞれ被覆する複数の帯状部材を、さらに備えたことが好ましい。
【００１３】
この構成によれば、例えば、被防護箇所であるベランダに防護シートを設ける場合に、縦骨がベランダの手摺等に直接当たることがなく、手摺等に傷が付くことを防止することができる。
【００１４】
この場合、複数の係合部をそれぞれ被覆する複数のカバー部を、さらに備えたことが好ましい。
【００１５】
この構成によれば、各縦骨の係合部が被係合部に直接当たることがなく、被係合部に傷が付くことを防止することができる。
【００１６】
この場合、シート材が、ネット材により構成されていることが好ましい。
【００１７】
この構成によれば、シート材が、小石等の飛散部を通さないが風は通すため、シート材が風によって捲れ上がり難くなる。
【図面の簡単な説明】
【００１８】
【図１】本考案の一実施形態に係る防護シートの使用例を示す図である。
【図２】防護シートの正面図である。
【図３】防護シートの縦骨の側面図である。
【図４】防護シートのシート材への縦骨の取り付け方を示す図である。
【考案を実施するための形態】
【００１９】
以下、添付の図面を参照して、本考案の一実施形態に係る防護シートについて説明する。この防護シートは、例えば、集合住宅の地上階の各住居において、ベランダに隣接する庭で草刈作業を行う際に、ベランダの外壁間に設けられた手摺を庭から覆うことで、草刈機のブレードにより弾かれた小石やガラス片等の飛散物が手摺を通過してベランダに飛び出すのを防止するものである。
【００２０】
防護シート１は、例えば、図１に示すように、庭１０１に隣接するベランダ１０２の外壁１０３同士の間に設けられた手摺１０４の庭１０１側に、２つの防護シート１を左右に連ねて用いられる。このように防護シート１をベランダ１０２の手摺１０４に設けておくことで、庭１０１での草刈作業中に、草刈機のブレードにより弾かれた小石等がベランダ１０２側に飛散しても、その小石等は防護シート１に遮断されるため、小石等が手摺１０４を通過してベランダ１０２に飛び出すことがなく、住居のガラス窓等が小石等により破損してしまうことが防止される。
【００２１】
図１および図２に示すように、防護シート１は、矩形状（例えば、３０００ｍｍ×９５０ｍｍ）のシート材２と、横方向に等間隔に並べてシート材２に取り付けた４本の縦骨３とを備えている。
【００２２】
シート材２は、いわゆるブルーシートのような合成樹脂製のシートを用いることも可能であるが、目の細かい（例えば、網目間隔：１ｍｍ）ネット材で構成することが好ましい。これにより、シート材２が、小石等の飛散部を通さないが風は通すため、シート材２が風によって捲れ上がり難くなる。また、住居内の明るさを確保しつつ、庭１０１にいる作業員等からの視線を遮るため、居住者のプライバシー保護にも有効である。
【００２３】
ネット材の材質としては、例えば、ポリエステル製の基布をポリ塩化ビニルでコーティングしたものを用いることができる。シート材２の周縁（四辺）には、補強等のため、ポリ塩化ビニル製の縁布４が縫い付けられている。縁布４の幅は仕上がりで５０ｍｍとなっている。もちろん、縁布４の材質や仕上がり幅は、適宜変更可能である。
【００２４】
さらに、シート材２の裏面には、縦方向に延びる４つの帯状部材５が、横方向に等間隔に並べて設けられている。また、左右両端に設けられた帯状部材５は、シート材２の左右両端から、それぞれ５０ｍｍ程度内側に設けられている。より具体的には、左右両端に設けられた帯状部材５は、左右外側の縁部が、縁布４の左右内側の縁部と重なるようにして設けられている。各帯状部材５は、例えば５０ｍｍ幅のナイロンテープで構成され、上方を開口部とした袋状になるように、シート材２に縫い付けられている。シート材２に縦骨３を取り付ける際には、この開口部から縦骨３が挿入される。
【００２５】
一方、各縦骨３は、アルミニウム等の軽金属で構成され、図１ないし図３に示すように、全体として、シート材２の縦寸法よりも僅かに長い長さを有し、正面視縦に細長い矩形状の板状に形成されている。この縦骨３により、シート材２が風によって捲れ上がるのを防止している。もちろん、縦骨３の本数は、シート材２の長さ等に応じて適宜変更可能であり、２本以上であればよい。また、各縦骨３の上方寄りには、各縦骨３をシート材２に取り付けるための取付孔３ａが形成されている。なお、各縦骨３における取付孔３ａの個数や位置は、適宜変更可能である。
【００２６】
さらに、各縦骨３の上端部には、ベランダ１０２に設けられた手摺１０４の上部横材１０４ａに係合して、シート材２を手摺１０４に吊り下げた状態に係止する係合部６が形成されている。すなわち、各縦骨３の上端部は、側面視略横「コ」の字状に、裏面側に屈曲形成されている。また、係合部６には、手摺１０４の上部横材１０４ａに傷が付くことを防止するため、ゴム管で構成されたカバー部７が被せてある。
【００２７】
このように、係合部６を設けたことにより、係合部６を手摺１０４の上部横材１０４ａに引っ掛けることで、シート材２を手摺１０４に吊り下げた状態に係止することができる。したがって、防護シート１を手摺１０４に紐等で結束する必要がなく、手摺１０４に対する防護シート１の着脱作業を迅速且つ容易に行うことができる。このため、居住者に対し、作業に手間取っている、作業者から覗かれている、といった不安を与えるおそれもない。もっとも、防護シート１を生垣等に立て掛けて用いる場合には、係合部６を設ける必要はない。
【００２８】
さらに、係合部６を縦骨３に設けたことで、係合部６を縦骨３とは別に設けた場合に比べ、部品点数を削減することができる。また、手摺１０４の上部横材１０４ａが、庭１０１にいる作業者から手の届きにくい高所に設けられている場合にも（図１参照）、作業者が、各縦骨３の各係合部６よりも下方寄りの箇所を手で持って、各縦骨３に設けられた各係合部６を手摺１０４の上部横材１０４ａに引っ掛けることで、この作業を容易に行うことができる。なお、複数の縦骨３の一部のみに係合部６を設けてもよい。
【００２９】
図４に示すように、縦骨３をシート材２に取り付ける際には、上述したように、帯状部材５がシート材２に袋状に縫い付けられた箇所に対し、その上方の開口部から縦骨３を挿入し、その後、縦骨３の取付孔３ａを利用して、ナイロン紐８により縦骨３をシート材２および帯状部材５に縫い付けるようにして、取り付ける。このため、各縦骨３は、シート材２の上端から突出した係合部６を除き、縦骨３の表側（手摺１０４に吊り下げた際の庭１０１側）が、シート材２に被覆され、縦骨３の裏側（手摺１０４に吊り下げた際の手摺１０４側）が、帯状部材５に被覆されることになる。したがって、縦骨３がベランダ１０２の手摺１０４の上部横材１０４ａや縦材１０４ｂに直接当たることがなく、手摺１０４に傷が付くことを防止することができる。
【００３０】
このようにして４本の縦骨３が取り付けられたシート材２は、図１および図２に示すように、横方向の両端部において、４本の縦骨３のうち左端部寄りおよび右端部寄りに設けられた２本の縦骨３（左から１番目の縦骨３および４番目の縦骨）のそれぞれから、横方向外側に張り出した張出部９を有する。すなわち、本実施形態においては、シート材２の左右の両端部であって縁布４が縫着された部分が、張出部９となっている。
【００３１】
以上のように構成された防護シート１は、張出部９を有することで、防護シート１を複数連ねて設置した場合に、防護シート１同士の境界部分において、各防護シート１の張出部９を重ね代として、左側の防護シート１の右端の張出部９と右側の防護シート１の左端の張出部９とを重ね合わせることで、防護シート１同士の境界部分に隙間が生じることがない（図１）。このため、防護シート１を複数連ねて設置した場合に、防護シート１同士の境界部分から小石等の飛散物がベランダ１０２に飛び出すことを防止することができる。なお、作業終了時には、各防護シート１を、縦骨３を巻き芯としてロール状にすることで、持ち運びが容易となり、比較的コンパクトに収納できる。
【００３２】
また、本実施形態では、ベランダ１０２に隣接した庭１０１での草刈作業において、ベランダ１０２の手摺１０４に防護シート１を設ける場合について説明したが、防護シート１の設置場所としては、これに限定されるものではない。例えば、金網状或いは格子状のフェンスで囲まれた駐車場等の敷地で草刈作業を行う場合には、このフェンスに防護シート１を設け、小石等がフェンスを通過して周囲の道路等に飛び出すのを防止することができる。この場合、防護シート１は、係合部６を利用してフェンスの適宜の位置に引っ掛けてもよく、フェンスに立て掛けてもよい。
【符号の説明】
【００３３】
１：防護シート、２：シート材、３：縦骨、３ａ：取付孔、４：縁布、５：帯状部材、６：係合部、７：カバー部、８：ナイロン紐、９：張出部、１０１：庭、１０２：ベランダ、１０３：外壁、１０４：手摺、１０４ａ：上部横材、１０４ｂ：縦材
【図１】
0003180942.tif 000003
【図２】
0003180942.tif 000004
【図３】
0003180942.tif 000005
【図４】
0003180942.tif 000006